(57)【要約】【課題】チャージワイヤをケースに張架するときに工具を用いずに、しかも均一な寸法で簡単にカットすることができ、張架後にグリッドのリークが少ない帯電装置を提供することである。【解決手段】側面形状が略コの字のケ−ス１と、そのケース１の空間部にケ−ス１の長手方向と平行に張架されるチャ−ジワイヤ４と、ケ−ス１の保持部材２に形成された嵌合穴５に前記チャ−ジワイヤ４の一端近辺を固定するべくチャージワイヤ４と共に圧入される抜け止めピン３とを少なくとも具備し、抜け止めピン３に設けた突起１５の内側に傾斜面１８を形成し、それにより突起の下端にチャージワイヤ４を切断するための鋭角エッジ部１７を設けている帯電装置１０である。【選択図】  図１
2004309861.tif 000002
【特許請求の範囲】
【請求項１】
側面形状が略コ字形のケ−スと、そのケースの空間部にケ−スの長手方向と平行に張架されるチャ−ジワイヤと、ケ−スの保持部材に形成された嵌合穴に前記チャ−ジワイヤの一端近辺を固定するべくチャージワイヤと共に圧入される抜け止めピンとを少なくとも具備する帯電装置において、
前記抜け止めピンまたは保持部材のいずれか一方に、固定したチャージワイヤの不要分を切断するための鋭角エッジ部を設けていることを特徴とする帯電装置。
【請求項２】
前記鋭角エッジ部が、抜け止めピンにおけるグリッドとは反対の側に設けられている請求項１記載の帯電装置。
【請求項３】
前記チャ−ジワイヤの他端に係合してチャ−ジワイヤに一定張力を付与するばね材をさらに有する請求項１記載の帯電装置。
【発明の詳細な説明】
【０００１】
【発明の属する技術分野】
本発明は、電子写真装置における帯電装置に関するものであり、特に、導電性材料からなるケ−スと、感光体に対する帯電の際に帯電電圧が印加されコロナ放電を発生するチャ−ジワイヤを張設した帯電装置の改良に関するものである。
【０００２】
【従来の技術】
図５に示すように、従来の帯電装置１００を構成するケ−ス１０１は、側面視で略コの字形状を有し、コの字の開口部は感光体方向に配設されている。チャ−ジワイヤ１０２はケ−スの略中央に、コ字状の開口部１０３を跨ぐように配接され、高圧電源から帯電電圧が印加され一定電流が放電される。グリッド１０４は、感光体軸と一定間隔をあけて平行に配設される金網状のシートであり、感光体表面が一定電位になるように、グリッド電位制御回路にグリッド１０４を張設する板ばね１０５及びケ−ス１０１を通じて接続している。
【０００３】
このようなチャ−ジワイヤ１０２のケース１０１への組付けは、たとえば巻き線状態のチャ−ジワイヤ１０２先端を一定荷重を付与するばね材（図２の符号７参照）に取り付け、ケ−ス１０１の保持部材１０７に該ばね材の他端を係合する。ついでチャ−ジワイヤ１０２の他端は一定荷重を付与した状態で固定されるように、図６に示すように抜け止めピン１０８と共にケ−スの保持部材１０７に形成した嵌合穴１０９に圧入することにより保持させる。
【０００４】
特許文献１には、そのような抜け止めピンの外周に環状リブを設け、しかもその環状リブの複数個所に突起部を設けた帯電装置が開示されている。そしてこのような構成により、抜け止めピンの圧入が容易になり、抜け止め作用がより確実になるとしている。
【特許文献１】特開平４−２９６７７６号公報
【０００５】
【発明が解決しようとする課題】
上記した従来の技術は、次のような問題点を有している。チャ−ジワイヤ１０２は必要な寸法に切断した後に取り付けることは困難であるので、長いままのチャージワイヤ１０２を取り付け、抜け止めピン１０８と共にケ−スの保持部材１０７の嵌合穴１０９に挿入して固定した後、外側に延びている巻き線状態のチャージワイヤ（図６の想像線Ｐ）から分離するため、ニッパなどでカットする後加工を行う。そのとき、チャ−ジワイヤ１０２を抜け止めピン１０８の近くでカットするので、切断作業が繁雑であり、カット長さが不均一になる。さらにカットしやすいように、グリッド１０４に近い側でカットすることが多く、カット長さが長い場合は、グリッド１０４との距離が近づいて、リ−クが懸念される。またリ−ク回避には、グリッド１０４とチャージワイヤ１０２の距離を充分確保する必要があるが、その場合は帯電装置１００の寸法の拡大につながり、コストアップになる。
【０００６】
本発明は、取り付け後のチャージワイヤを工具を用いずに、しかも均一な寸法で簡単にカットすることができる帯電装置を提供することを目的とする。さらに本発明は、カット後の切断端がグリッドから充分に離れ、リークのおそれが少ない帯電装置を提供することを目的とする。
【０００７】
【課題を解決するための手段】
前記課題を解決するために、本発明は、側面形状が略コ字形のケ−スと、そのケースの空間部にケ−スの長手方向と平行に張架されるチャ−ジワイヤと、ケ−スの保持部材に形成された嵌合穴に前記チャ−ジワイヤの一端近辺を固定するべくチャージワイヤと共に圧入される抜け止めピンとを少なくとも具備する帯電装置において、前記抜け止めピンまたは保持部材のいずれか一方に、固定したチャージワイヤの不要分を切断するための鋭角エッジ部を設けていることを特徴とする。
【０００８】
このような鋭角エッジ部を設けることにより、抜け止めピンでチャ−ジワイヤの途中の部分を嵌合穴に圧入するとき、自動的に鋭角エッジ部によりチャ−ジワイヤをカットすることができる。なお、チャージワイヤを圧入固定した後、チャージワイヤの残りの部分（巻き線状態の部分）を引っ張って鋭角エッジ部に当てたり、折り曲げたりすることにより、チャージワイヤを鋭角エッジ部で切断することもできる。いずれの場合もカットの工具が不要で、切断作業も簡単になる。さらにカット長さを短くすることができ、しかも均一になるので、切断端がグリッドに近づいてリークするおそれが少なくなる。
【０００９】
前記帯電装置においては、鋭角エッジ部が、抜け止めピンに関してグリッドに対面する側とは反対の側に設けられているものが好ましい。このようにカット端部をグリッド配置方向と逆方向にすることにより、リ−クを一層防止することができ、帯電器の小型化および品質の向上を図ることができる。なお、グリッドの反対側は、抜け止めピンとケースの保持部材との隙間部分となるので、このような位置での切断工具による手作業は実際上困難であるが、鋭角エッジ部をあらかじめ設けておくことにより容易に切断できる。前記帯電装置においては、チャ−ジワイヤの他端に係合してチャ−ジワイヤに一定張力を付与するばね材をさらに有するのが好ましい。
【００１０】
【発明の実施の形態】
以下、図面を参照して本発明の帯電装置の実施形態を詳細に説明する。図１は本発明の帯電装置の一実施形態を示す要部断面図、図２はその帯電装置の全体を示す縦断面図、図３は図１の抜け止めピンの斜視図、図４は本発明の帯電装置の他の実施形態を示す要部断面図である。
【００１１】
始めに図２を参照して帯電装置の全体を説明する。図２の帯電装置１０は、側面視が略コの字を呈する箱状のケ−ス（帯電器ケース）１と、そのケースの端部に設けられる保持部材２と、その保持部材に固定される抜け止めピン３とを備えている。抜け止めピン３は、一定荷重で張られたチャ−ジワイヤ４を係合し、そのチャージワイヤ４と共に保持部材２に形成された円柱状の嵌合穴５に圧入され、固定されている。このようにチャージワイヤ４を張架した後、グリッド６をケース１に取りつける。なお符号７はチャージワイヤ４に所定の張力を付与するためのバネ材であり、通常は引っ張りコイルバネで構成している。また、符号８はグリッド６を所定の張力でケース１に固定するための板バネである。
【００１２】
この帯電装置１０では、前記抜け止めピン３に特徴がある。すなわち抜け止めピン３は、図３に示すように円柱状の本体（つまみ部）１１と、その本体の下端から突出する圧入部１２とを備えている。本体１１の上端および下端の外周には、径がいくらか大きい大径部１３、１４が設けられ、下端側の大径部１４に半径方向に突出する突起１５が設けられている。突起１５の外側は本体１１の下端よりさらに下側まで延びており、その下端から大径部１４方向に傾斜面１６が形成されている。それにより突起１５の下端に鋭角エッジ部１７が形成されている。
【００１３】
なお、圧入部１２の下端には、チャージワイヤの位置を定めるためのＶ字状のノッチ（Ｖ溝）１８が形成され、そのノッチ１８の延長方向に前記突起１５が形成されている。さらにこの抜け止めピン３では、圧入部１２の外周に特許文献１の場合と同様の２本の環状リブ１９が設けられている。抜け止めピン３の材質は、従来のものと同じもの、たとえばポリアミドなどの合成樹脂材料が採用される。なお、突起１５を硬度が高い別の材料、たとえば金属材料で形成し、本体１１に組み込んだりインサート成形することもできる。
【００１４】
上記のように構成される帯電装置１０は、図１に示すように組み立てられる。まず、巻き線状態のチャージワイヤの先端部分を前述のバネ材に係止し、ケース１に沿って引き延ばす。そしてチャージワイヤ４の適切な部位に抜け止めピン３のノッチ１８を契合させ、そのまま矢印Ｓで示すように、保持部材２の嵌合穴５に圧入する。そのとき、チャージワイヤ４は鋭角エッジ部７の傾斜面１６によりグリッド６から離れる方向に折り曲げられ、さらに鋭角エッジ部７でチャ−ジワイヤ４の手元に残る巻き線側２０を自動的にカットして除去することができる。その場合残っているチャ−ジワイヤ４のカット端部２１はグリッド６の配置方向と反対方向になり、しかも突起１５により隠された状態になる。そのためグリッド６との間でリークが発生することを防止することができる。
【００１５】
前記実施形態では、抜け止めピン３に鋭角エッジ部１７を設けているが、保持部材２の側に鋭角エッジ部を設けることもできる。また、両方に設けて挟み切るように構成してもよい。図４の帯電装置２３では、保持部材２の端部近辺に下方に向けた鋭角エッジ部２４を突設しており、抜け止めピン３には突起１５を設け、その突起１５に鋭角エッジ部２４との干渉を避けるための凹部２５を形成している。
【００１６】
このものもチャージワイヤ４を抜け止めピン３で嵌合穴５に圧入するときに、自動的にチャージワイヤをカットすることができる。なお、チャージワイヤ４の巻き線側２０を引っ張りながら圧入する方がカットしやすい。ただし圧入後に巻き線側２０を引っ張ってカットするようにしてもよい。この点は図１の帯電装置１０の場合も同様である。なお、この実施形態では、チャージワイヤ４の切断端２１がグリッド６側に向いているが、突起１５がその切断端２１を隠しているので、グリッド６からのリークを防止することができる。
【００１７】
【発明の効果】
本発明の帯電装置によれば、抜け止めピンまたは保持部材のいずれか一方に鋭角エッジ部が設けられているので、チャージワイヤをケースに取りつけるときにチャージワイヤの不要な部分を工具なしでカットすることができる。そのため、工具を用いてチャ−ジワイヤをカットする後加工が不要になり、工数削減を行うことができる。またカット長さが短くなり、かつ、その均一化が図れると共に、チャージワイヤの残りの部分が抜け止めピンで隠される状態となる。そのためリ−クを防止し、帯電器の小型化及び品質の向上をすることができる。
【００１８】
さらにチャージワイヤのカット端部をグリッド配置方向と反対方向にすることにより、一層リークを防止することができる。
【図面の簡単な説明】
【図１】本発明の帯電装置の一実施形態を示す要部断面図である。
【図２】その帯電装置の全体を示す縦断面図である。
【図３】図１の抜け止めピンの斜視図である。
【図４】本発明の帯電装置の他の実施形態を示す要部断面図である。
【図５】従来の帯電装置の全体を示す斜視図である。
【図６】その帯電装置の要部断面図である。
【符号の説明】
１：ケ−ス、２：保持部材、３：抜け止めピン、４：チャ−ジワイヤ、５：嵌合穴、６：グリッド、７：バネ材、８：板バネ、１０：帯電装置、１１：本体、１２：圧入部、１３、１４：大径部、１５：突起、１６：傾斜面、１７：鋭角エッジ部、１８：ノッチ、１９：環状リブ、２０：チャージワイヤの巻き線側、２１：チャ−ジワイヤのカット端部、２３：帯電装置、２４：鋭角エッジ部、２５：凹部
【図１】
2004309861.tif 000003
【図２】
2004309861.tif 000004
【図３】
2004309861.tif 000005
【図４】
2004309861.tif 000006
【図５】
2004309861.tif 000007
【図６】
2004309861.tif 000008